(57)【特許請求の範囲】
【請求項１】
胴部２上端から口頸部３を起立した容器体１と、
該容器体口頸部の外面に嵌合させた装着筒部５の上端から螺合筒部７を起立し、かつ該螺合筒部の下部内面から内方突出した支持板部８を介して棒状栓９を螺合筒部７上方へ起立した栓付き部材４と、
上記螺合筒部７の外面に螺合させた取付け筒部11の上端から有頂の注出筒部15を起立し、かつ該注出筒部の頂壁中央部に穿設した注出孔16へ上記棒状栓９の上部外面を水密かつ嵌脱自在に嵌合させた注出部材10と、
該注出部材の取付け筒部11外面に、頂壁18周縁から垂設した周壁19の下部内面を嵌合させたキャップ17とからなり、
上記注出部材10の取付け筒部11下端外面に周設した係合突条12の下面に、キャップ周壁18の下端内面に周設した係合突部20の上面を係脱自在に係合させ、
又上記注出部材10の取付け筒部11外面に縦設した凹凸いずれかの第１縦条13, 13に、キャップ周壁19の下部内面に縦設した凸凹いずれかの第２縦条21, 21を、キャップ周壁19を取付け筒部11から引き抜くことが可能に係合させた
ことを特徴とする液体収納容器。
【発明の詳細な説明】
【０００１】
【発明の属する技術分野】
本発明は、液体収納容器に関する。
【０００２】
【従来の技術】
【０００３】
【発明が解決しようとする課題】
公知の液体収納容器として、容器体と、該容器体口頸部の外面に螺合させた装着筒部の上端から内向きフランジ状壁を介して嵌合筒部を起立し、かつ該嵌合筒部の下部内面から支持板部を介して棒状栓を嵌合筒部上方へ起立した栓付き部材と、該栓付き部材の嵌合筒部外面に上下摺動可能に嵌合させた取付け筒部の上端から有頂の注出筒部を起立し、かつ該注出筒部の頂壁に穿設した注出孔へ上記棒状栓の上部外面を水密かつ嵌脱自在に嵌合させた注出部材と、該注出部材外面へ嵌合させたキャップとで形成し、該キャップを外し、注出部材を栓付き部材に対して引き上げることで、注出孔から棒状栓の上部を外して注出孔を開口させ、又該状態から、注出部材を栓付き部材に対して押下げることで、注出孔へ棒状栓の上部外面を嵌合させて注出孔を閉塞させるよう形成したものがある。
【０００４】
上記従来容器には、液状洗剤を収納させることが多いが、飲料水を収納させることもあり、この場合、注出筒部に直接口を付けて飲むこともあるので、注出筒部が清潔であることを要する。しかし、従来容器では、注出部材を指先で摘んで上げ下げすることによって注出孔を開閉するから、注出筒部を清潔に保つことが困難であった。
【０００５】
本発明は、キャップを回動させることによって注出部材を触れずに注出孔を開閉させるよう形成することで、注出筒部を清潔に保つことができるよう設けた。
【０００６】
【課題を解決するための手段】
胴部２上端から口頸部３を起立した容器体１と、
該容器体口頸部の外面に嵌合させた装着筒部５の上端から螺合筒部７を起立し、かつ該螺合筒部の下部内面から内方突出した支持板部８を介して棒状栓９を螺合筒部７上方へ起立した栓付き部材４と、
上記螺合筒部７の外面に螺合させた取付け筒部11の上端から有頂の注出筒部15を起立し、かつ該注出筒部の頂壁中央部に穿設した注出孔16へ上記棒状栓９の上部外面を水密かつ嵌脱自在に嵌合させた注出部材10と、
該注出部材の取付け筒部11外面に、頂壁18周縁から垂設した周壁19の下部内面を嵌合させたキャップ17とからなり、
上記注出部材10の取付け筒部11下端外面に周設した係合突条12の下面に、キャップ周壁18の下端内面に周設した係合突部20の上面を係脱自在に係合させ、
又上記注出部材10の取付け筒部11外面に縦設した凹凸いずれかの第１縦条13, 13に、キャップ周壁19の下部内面に縦設した凸凹いずれかの第２縦条21, 21を、キャップ周壁19を取付け筒部11から引き抜くことが可能に係合させた。
【０００７】
【発明の実施の形態】
本発明容器は、容器体１、栓付き部材４、注出部材10およびキャップ17からなり、容器体１は、胴部２上端から肩部を介して口頸部３を起立したものであり、飲料水或いは液状洗剤等の液体を収納させる。胴部２は弾性圧搾可能に設けるとよい。
【０００８】
栓付き部材４は、容器体口頸部３の外面に螺合させた装着筒部５の上端から内向きフランジ状壁６を介して螺合筒部７を起立し、かつ該螺合筒部の下部内面から内方突出した複数の支持板部８を介して棒状栓９を螺合筒部７上方へ起立している。
【０００９】
注出部材10は、上記螺合筒部７の外面に螺合させた取付け筒部11を有し、該取付け筒部の下端やや上方外面に係合突条12を周設し、かつ図３のように、該係合突条上方の取付け筒部11部分の外面に凸状の第１縦条13, 13を等間隔に多数縦設している。又その取付け筒部11の上端からは、内方張出し壁部14を介して有頂の注出筒部15を起立し、該注出筒部の頂壁中央部に穿設した注出孔16へ上記棒状栓９の上部外面を水密かつ嵌脱自在に嵌合させている。又その注出孔16の径は、収納液体の種類により適宜変更すればよく、図示例では、飲料水を注出させることを考慮して径をやや大きくしたが、例えば収納液体が液状洗剤である場合には、注出孔を小径として、容器体胴部を弾性圧搾させることで液状洗剤を注出させるよう形成すればよい。更に、上記注出筒部15は、下端を下方へ延長形成して、該延長形成部を容器体口頸部の上部内面に水密に嵌合させている。
【００１０】
キャップ17は、頂壁18の周縁から垂設した周壁19の下部内面を上記取付け筒部11の外面に嵌合させると共に、その周壁19の下端内面に周設した係合突部20の上面を上記係合突条12の下面へ係脱自在に係合させ、又図３が示すように、周壁19の下部内面に多数縦設した、やや幅広で凹状の第２縦条21, 21に上記第１縦条13, 13を、周壁19を取付け筒部11から引き抜くことが可能に係合させている。
【００１１】
22は、円板状のパッキングであり、該パッキングの外周部を、容器体口頸部の上端面と栓付き部材10の内向きフランジ状壁６外周部下面とで挟持させている。該パッキングは、必要に応じて設けるとよく、円板状以外の形状、例えばフランジ状としてもよい。
【００１２】
図示例では、第１縦条13, 13を凸状に、かつ第２縦条21, 21を凹状としたが、第１縦条13, 13を凹状とし、かつ第２縦条21, 21を凸状としてもよい。
【００１３】
収納液体を注出させる場合には、図１が示す状態から、容器体口頸部の外面から装着筒部５を螺脱させてパッキング22を取り除き、かつ装着筒部５を再螺合させ、次いでキャップ17を反時計方向へ回動させる。すると、キャップの第２縦条21, 21に取付け筒部11の第１縦条13, 13を係合させたので、キャップが注出部材10に対して回動することが阻止され、注出部材10がキャップ17と共に回動して、取付け筒部11が螺上昇し、図２が示すように、注出孔16から棒状栓９上部が外れて注出孔16が開口され、キャップ17を外して収納液体を注出孔16から注出させることができる。
【００１４】
注出孔16を閉塞させるには、キャップ周壁19の下部を取付け筒部11の外面に嵌合させ、かつキャップ17を時計方向ヘ回動させる。すると、第１, 第２縦条13, 21が相互に係合して、キャップ17が注出部材10に対して回動することが阻止されるため、キャップと共に注出部材10が回動して、取付け筒部11が螺下降し、図１が示すように、棒状栓９の上部が注出孔16に水密に嵌合されて、注出孔が閉塞される。
【００１５】
尚上記各部材は、合成樹脂材により成形する。
【００１６】
【発明の効果】
本発明は、上記構成とするものであり、注出部材10の取付け筒部11外面に縦設した凹凸いずれかの第１縦条13, 13を、キャップ周壁19の下部内面に縦設した凸凹いずれかの第２縦条21, 21に係合させたから、キャップ17が注出部材10に対して回動することを阻止することができ、よって、図１が示す状態から、キャップ17を反時計方向へ回動させると、注出部材10がキャップと共に回動して、取付け筒部11が螺上昇し、注出孔16から棒状栓９上部が抜き出されて注出孔16が開口され、又該状態から、キャップ17を時計方向へ回動させると、注出部材10がキャップ17と共に回動して、取付け筒部11が螺下降し、棒状栓９の上部が注出孔16に水密に嵌合して注出孔が閉塞されることとなり、このように、注出筒部15に指先を全く触れずに注出孔16を開閉することができるから、指先の汚れが出筒部15に付着することが防止され、又注出部材の取付け筒部11外面にキャップ17の周壁19の下部内面を嵌合させたから、注出筒部15に埃が付着することが防止され、よって、注出筒部15を清潔に保つことができ、特に、飲料水を収納する容器に適する他、液状洗剤等を収容する容器にも適合する。
【図面の簡単な説明】
【図１】本発明容器の一実施形態を示す縦断面図である。
【図２】注出孔を開口させた状態で示す、同実施形態の縦断面図である。
【図３】同実施形態の分解斜視図である。
【符号の説明】
１…容器体  ４…栓付き部材  10…注出部材
17…キャップ
【図１】
0003830691.tif 000002
【図２】
0003830691.tif 000003
【図３】
0003830691.tif 000004